(57)【要約】      （修正有）【課題】植木鉢やプランターで育てている植物に対し、簡易な構造で水を循環させながら自動的に供給する循環型自動水やり装置を提供する。【解決手段】容器内に貯水室２２と植木室４とポンプ室１８と沈殿室１４とを少なくとも設ける。沈殿室は水に含まれる汚泥を沈殿させるためのものである。貯水室と植木室とは着脱自在の載置台２４で隔てられており、載置台の上に植木鉢２６が置かれる。貯水室に入れられた水は開口２０を通ってポンプ室に入り、次のように循環される。ポンプ→配水主パイプ３Ａ→配水分岐パイプ３Ｂ→植木鉢２６→排水注ぎ口１３→沈殿室→ポンプ室。構造は簡単であるし、近くに蛇口も必要とせず、長期間にわたって植木に水をやることが可能である。【選択図】図２
0003153611.tif 000002
【実用新案登録請求の範囲】
【請求項１】
植木にかける水を貯めておく貯水室と、植木鉢を出し入れ自在に置く植木室と、ポンプを設置するポンプ室と、水に含まれる汚泥を沈殿させる沈殿室とを少なくとも有する容器であって、
該ポンプ室と該沈殿室とは第１の垂直仕切壁を介して互いに隣接配置されると共に前記貯水室と第２の垂直仕切壁を介してそれぞれ隣接配置され、
該貯水室の上方には、側辺の１つに排水注ぎ口が付設され所定位置に着脱自在に載置される載置台を隔てて前記植木室が配置され、
該載置台の内側には汚泥ろ過用のフィルター材が入れられ、
前記第１の垂直仕切壁には前記沈殿室で沈殿する汚泥が流出しない高さに第１の開口が開けられ、
前記第２の垂直仕切壁には、前記貯水室と前記ポンプ室とを底部で通ずる第２の開口が開けられると共に前記載置台に付設された排水注ぎ口を前記沈殿室の上部へ挿通する第３の開口が開けられている容器と、
前記ポンプ室に配設されたポンプと、
該ポンプから吐出される水を前記植木室に置かれる植木鉢に配水するよう配設された配水部と、
前記ポンプへの通電日時を設定するため該ポンプの電源経路中に介在させられたプログラムタイマと
を具えて構成され、
水を前記したポンプ室→植木室→沈殿室→ポンプ室へと循環させて利用するようにした
ことを特徴とする循環型自動水やり装置。
【請求項２】
配水部を構成するパイプとポンプからの配線とを挿通する挿通穴が開けられた水平仕切壁をポンプ室と沈殿室との上方に設け、
該水平仕切壁の上方を電源室とし、該電源室内にプログラムタイマを含む電源部品を配設した
ことを特徴とする請求項１記載の循環型自動水やり装置。
【考案の詳細な説明】
【技術分野】
【０００１】
本考案は、植木鉢やプランタンで育てている植物に対し、水を循環させながら自動的に供給する循環型自動水やり装置に関するものである。
【背景技術】
【０００２】
植木鉢やプランタンに花などを植え、室内やベランダで育てながら鑑賞することが広く行われている。特に都会ではマンションで生活する人が多くなって来ているため、心の安らぎや土の温もりを求めてか、そのような人は次第に多くなってきている。
室内やベランダで植物を育てる場合の悩みの種は、旅行等で長期間家を留守にする場合の水やりである。水やりが出来ないため、留守にしている間に土が乾いてしまい、折角大切に育てていた植物を枯らしてしまうことになる。
【０００３】
そのため、従来、いろいろな自動水やり器が提案されている。例えば、特開平１１−２９９３７３号公報に示されるものは、植木鉢の上方に散水ノズルを配設し、それを電磁開閉弁とホースを介して水道の蛇口に接続するという構造のものである。これによれば、電磁開閉弁を一定時間開くよう制御することにより、散水ノズルから水が散布される。
また、特開２００２−３６９６３２号公報に示されるものは、水をいれた容器を倒立させ、その下端からサイホンの原理を利用してちびりちびりと水を出すという構造のものである。
【特許文献１】特開平１１−２９９３７３号公報
【特許文献２】特開２００２−３６９６３２号公報
【考案の開示】
【考案が解決しようとする課題】
【０００４】
前記した従来の自動水やり装置には、それぞれ次のような問題点があった。
特開平１１−２９９３７３号公報のものの第１の問題点は、水道の蛇口とホースで接続しなければならないので、蛇口のある部屋で使用するか、他の部屋で使用する場合には長いホースを引き回してくる必要があり、面倒であるという点である。第２の問題点は、植木鉢を通過して出て来た水は流し去られてしまい、再利用されることはなく、全く無駄になってしまうという点である。
【０００５】
特開２００２−３６９６３２号公報のものの第１の問題点は、個々の植木鉢の縁に取り付けて使用するものであるので、植木鉢の個数だけ水やり装置が必要となるという点である。第２の問題点は、サイホンの原理を働かせるための構造が複雑であるという点である。第３の問題点は、植木鉢を通過して出て来た水はやはり流し去られ、全く無駄になってしまうという点である。
本考案は、前記のような問題点を解決することを課題とするものである。
【課題を解決するための手段】
【０００６】
前記課題を解決するため、本考案では、植木にかける水を貯めておく貯水室と、植木鉢を出し入れ自在に置く植木室と、ポンプを設置するポンプ室と、水に含まれる汚泥を沈殿させる沈殿室とを少なくとも有する容器であって、該ポンプ室と該沈殿室とは第１の垂直仕切壁を介して互いに隣接配置されると共に前記貯水室と第２の垂直仕切壁を介してそれぞれ隣接配置され、該貯水室の上方には、側辺の１つに排水注ぎ口が付設され所定位置に着脱自在に載置される載置台を隔てて前記植木室が配置され、該載置台の内側には汚泥ろ過用のフィルター材が入れられ、前記第１の垂直仕切壁には前記沈殿室で沈殿する汚泥が流出しない高さに第１の開口が開けられ、前記第２の垂直仕切壁には、前記貯水室と前記ポンプ室とを底部で通ずる第２の開口が開けられると共に前記載置台に付設された排水注ぎ口を前記沈殿室の上部へ挿通する第３の開口が開けられている容器と、前記ポンプ室に配設されたポンプと、該ポンプから吐出される水を前記植木室に置かれる植木鉢に配水するよう配設された配水部と、前記ポンプへの通電日時を設定するため該ポンプの電源経路中に介在させられたプログラムタイマとを具えて構成し、水を前記したポンプ室→植木室→沈殿室→ポンプ室へと循環させて利用することとした。
【０００７】
なお上記した循環型自動水やり装置において、前記配水部を構成するパイプとポンプからの配線とを挿通するための挿通穴が開けられた水平仕切壁を、ポンプ室と沈殿室との上方に設け、該水平仕切壁の上方を電源室とし、該電源室内にプログラムタイマを含む電源部品を配設するようにしてもよい。
【考案の効果】
【０００８】
本考案の循環型自動水やり装置によれば、次のような効果を奏する。
（１）貯水室に大量の水を溜めておくことが出来るので、長期間にわたって給水することが可能となる。
（２）植木鉢を通過して出て来た水は循環利用されるので、水が無駄に捨てられることがなく、給水期間を長くすることが出来る。
（３）水道の蛇口が近くになくても使用することが出来る。
（４）本考案装置は電気のコンセントがあれば使用することが出来るが、通常、電気のコンセントはどの部屋にもあるので、どの部屋でも使用することが出来る。
【考案を実施するための最良の形態】
【０００９】
以下、本考案の実施形態を図面に基づいて詳細に説明する。
（第１の実施形態）
図１は、本考案の循環型自動水やり装置の実施形態を示す斜視図である。図１において、１は循環型自動水やり装置、２は容器、３Ａは配水主パイプ、３Ｂは配水分岐パイプ、４は植木室、５は切欠部、６は垂直仕切壁、７は差込プラグ、８は電源室、９は差込プラグ、１０はコンセント、１１はプログラムタイマ、１２は開口、１３は排水注ぎ口、１４は沈殿室、１５は挿通穴、１６は垂直仕切壁、１７は開口、１８はポンプ室、１９はポンプ、２０は開口、２１は水平仕切壁、２２は貯水室、２３は支持縁体、２４は載置台、２５はフィルター材である。
【００１０】
容器２は、花などを植えた植木鉢を上方から入れたり出したり出来るようにするため、上方が開放された構造とされている。そして、植木鉢がぶつかっても壊れないよう衝撃に強く、しかも中の様子が外からよく分かるように透明となっている材料（例えば透明なアクリル材）で作るのが望ましい。
容器２の内部は、垂直仕切壁６，１６や水平仕切壁２１によって仕切られ、次のような室が形成される。先ず垂直仕切壁６で仕切られて出来る大きい方の空間の下の部分が貯水室２２とされ、上の部分が植木室４とされる。貯水室２２と植木室４の境界は、載置台２４である。載置台２４は、容器２の内壁面および垂直仕切壁６の植木室４側に面した壁面の、適宜高さ位置に固着された支持縁体２３に載置される。支持縁体２３は、載置台２４の底の縁を支承し得る程度に、壁面からやや突出した形状のものであればよい。載置台２４は単に載置されているだけであるから、容器２から容易に取り外すことが出来る。
なお、支持縁体２３の位置が高くされている程、貯水室２２の容積は大となり、貯水量は大となる。
【００１１】
垂直仕切壁６で仕切られる他方の空間は水平仕切壁２１で仕切られ、その上方の空間は電源室８とされる。下方の空間は更に垂直仕切壁１６で２つに仕切られ、一方はポンプ室１８とされ、他方は沈殿室１４とされる。ここに言う沈殿室とは、水に混じっている汚泥等を底に沈殿させるための室のことである。
なお、水平仕切壁２１は、これがあれば装置全体が堅固になったり、プログラムタイマ１１等の電源部品を容器２内に収納できるといった利点はあるが、必ずしも必要なものではない（省略してよい→第２の実施形態参照）。
【００１２】
開口２０は、垂直仕切壁６の下端に開けられた開口であり、貯水室２２とポンプ室１８とを底において連通させるための開口である。
開口１２は、垂直仕切壁６の中間高さ付近に開けられた開口であり、植木室４と沈殿室１４とを沈殿室１４の上部において連通させるための開口である。開口１２を通って沈殿室１４側に出て来ている排水注ぎ口１３は、載置台２４の側辺の１つ（沈殿室１４側の側辺）に一体に付設されているものである。
開口１７は、垂直仕切壁１６の中間高さ付近に開けられた開口であり、沈殿室１４とポンプ室１８とを連通させるための開口である。
【００１３】
電源室８の適宜の箇所には、コンセント１０が配設される。コンセント１０につながっている差込プラグ９は、家の壁のコンセントに差し込まれる。プログラムタイマ１１は、通電時および通電時間を任意に設定できる（プログラムできる）タイマである。例えば、月，水，金の午後４時から２分間などと設定できる。
ポンプ室１８内にはポンプ１９が配設される。水平仕切壁２１の適宜箇所には、電源室８に通ずる挿通穴１５が開けられ、ポンプ１９の電気配線が通され、その差込プラグ７はプログラムタイマ１１に差し込まれる。また、ポンプ１９に接続された配水主パイプ３Ａも挿通穴１５に通され、植木室４の上方へ導かれる。切欠部５は、垂直仕切壁６の上の縁の適宜箇所に開けられた切欠部である。これは、配水主パイプ３Ａを植木室４の上方へ導く際の位置決め用として使われる。
図２は、上記のような構成の本考案装置の植木室４に、植木２７が植えられた植木鉢２６を入れた状態を示す図である。
【００１４】
図３は、本考案装置を使用する場合の手順を示す図である。符号は図１，図２のものに対応しており、２８はバケツ、２９は水である。手順は次の通りである。
（１）貯水室２２へ水を入れる
載置台２４を予め容器２の外へ取り出しておく。そして、バケツ２８等で水を運んで来て、貯水室２２に入れる。水位は支持縁体２３より高くならないようにする。貯水室２２に入れられた水２９は、容器２の底にある開口２０を通ってポンプ室１８にも入る。従って、貯水室２２とポンプ室１８の水位は、同じになる。
（２）載置台２４を置く
載置台２４の底の縁を支持縁体２３に載せるように置く。その場合、載置台２４に付設されている排水注ぎ口１３を開口１２に差し込み、その先が沈殿室１４に出るようにする。
【００１５】
（３）フィルター材２５を敷く
載置台２４の底にフィルター材２５を敷く。
（４）植木鉢２６を入れる
植木鉢２６を、フィルター材２５の上に置く。
（５）配水分岐パイプ３Ｂの先端を植木鉢２６へ
植木鉢２６のそれぞれに、少なくとも１つの配水分岐パイプ３Ｂの先端が届くようにしてやる。
（６）給水時間の設定
プログラムタイマ１１により、給水する時間を設定する。
【００１６】
図４は本考案装置使用時の正面図、図５は同平面図、図６は同右側面図である。なお、符号は図１，図２のものに対応している。
プログラムタイマ１１が作動してポンプ１９に通電されると、ポンプ室１８の水が汲み上げられ、配水主パイプ３Ａを通って配水分岐パイプ３Ｂに配水される。配水分岐パイプ３Ｂの先端は各植木鉢２６に導かれているから、各植木鉢２６には水が供給される。通電が停止されると、供給は停止される。
ポンプ室１８は開口２０を通って貯水室２２と連通しているから、これら２つの室の合計水量がなくなるまで、上記の如く水を供給することが可能となる。従って、容器２に入れる植木２７が１日に必要とする水量に対し、上記合計水量がその何十倍となるような構造としておけば、何十日も留守にしていても水を供給することが出来る。
【００１７】
次に、本考案装置での水の循環利用について説明する。
ポンプ室１８の水はポンプ１９によって汲み上げられ、配水主パイプ３Ａ，配水分岐パイプ３Ｂを経て植木室４内の植木鉢２６に注がれる。植木鉢２６に注がれた水は、植木２７に吸収されたり植木鉢２６内の土に吸収されたりしたもの以外は、植木鉢２６の底の穴から出て来る。この水には小さなゴミや汚泥が含まれている可能性が大である。
植木鉢２６はフィルター材２５の上に置かれているから、底から出て来た水はフィルター材２５を通過させられることになる。その結果、汚泥等はフィルター材２５により漉し取られ、それらが除去された水が、載置台２４の排水注ぎ口１３から、沈殿室１４へと注がれる（図５，図６参照）。
【００１８】
沈殿室１４とポンプ室１８とを仕切っている垂直仕切壁１６に開けられている開口１７は、比較的高い位置に設けられているので、沈殿室１４に注がれた水は、開口１７の深さまで溜まる。その水に含まれている小さな土等は、底に沈殿することになる。水位が開口１７の位置まで上がって来ると、上澄みの水がポンプ室１８に流れ込んで行く。そのように流れ込んだ水は、再びポンプ１９により汲み上げられ、植木鉢２６に供給される。
【００１９】
図８は、本考案装置のブロック説明図である。符号は図１のものに対応し、３は配水部である。なお配水部３は、図１の例で言えば、配水主パイプ３Ａ，配水分岐パイプ３Ｂから成っている。
貯水室２２に入れられた水は、ポンプ室１８に送られる。既に説明したように、ポンプ室１８内のポンプ１９は、電源室８からの電源により作動させられ、配水部３を経て植木室４に水を供給する。植木室４から排出されて来る余分の水は、沈殿室１４に溜められる。ここで小さな汚泥等が沈殿させられ、上澄みの比較的きれいな水がポンプ室１８に戻されて来る。
【００２０】
即ち、貯水室２２からポンプ室１８へ供給される水は、ポンプ室１８→配水部３→植木室４→沈殿室１４→ポンプ室１８という経路を辿りつつ、無駄に捨てられることなく循環利用される。この循環は、ポンプ室１８の水位がポンプ１９で汲み上げられない程に下がるまで行われるが、貯水室２２の容量を大にしておけば、何十日といった長期間にわたって行わせることが出来る。
なお、沈殿室１４の開口１７の水位までの分量の水は、最後まで溜まったままとなり、植木にかけられて消費されることはない。従って沈殿室１４は、沈殿作用に必要な深さがありさえすればよく、その容積は大きくない方が良い（大きければ、植木に使われない水が多くなるから）。垂直仕切壁１６の位置は、このようなことも考えて決定される。
【００２１】
図７は、本考案装置に使用するフィルター材の配設例を示す図である。符号は図３のものに対応しており、２５Ａはフィルター材である。
図７（１）は、載置台２４の底全体にフィルター材２５を敷くように配設した例を示している。これは今迄説明して来た配設例である（図１，図３参照）。
図７（２）は、載置台２４の底全体に敷くのではなく、排水注ぎ口１３がある側の辺に沿ってのみ、フィルター材２５Ａを配設した例である。
フィルター材を使用する目的は、排水注ぎ口１３から出て行く水の中に土やゴミが混じらないようにすることであるから、図７（２）のように配設しても、その目的を達することが出来る。
図７（２）の配設例には、フィルター材の量が少なくて済むという利点のほか、植木鉢２６を載置台２４の平坦な底に直接置くことが出来るので、凹み易いフィルター材２５の上に置く場合に比べて安定性が良いという利点がある。
【００２２】
（第２の実施形態）
以上述べた第１の実施形態では、ポンプ室１８と沈殿室１４の上方に水平仕切壁２１を設けて電源室８を形成し、その中にコンセント１０，プログラムタイマ１１，ポンプ１９の電源線が付いた差込プラグ７等の電源部品を収納するようにしていた。このようにすると、循環型自動水やり装置１に必要な部品は容器２内に全て納められ、外へ引き出されてくるのは差込プラグ９だけであるから、見た目はすっきりする。
しかし、そのような見た目を多少犠牲にするならば、電源室８は必ずしも設ける必要はない。なぜなら、プログラムタイマ１１は家の壁に設置してあるコンセントに直接差し込み、それにポンプ１９の差込プラグ７を差し込むようにしてもよいからである。
即ち、第２の実施形態では、水平仕切壁２１を設けることをせず（電源室８を廃し）、差込プラグ９，コンセント１０は不用となる。
【図面の簡単な説明】
【００２３】
【図１】本考案の循環型自動水やり装置の実施形態を示す斜視図
【図２】本考案装置に植木鉢を入れた状態を示す図
【図３】本考案装置を使用する場合の手順を示す図
【図４】本考案装置使用時の正面図
【図５】本考案装置使用時の平面図
【図６】本考案装置使用時の右側面図
【図７】本考案装置に使用するフィルター材の配設例を示す図
【図８】本考案装置のブロック説明図
【符号の説明】
【００２４】
１…循環型自動水やり装置、２…容器、３…配水部、３Ａ…配水主パイプ、３Ｂ…配水分岐パイプ、４…植木室、５…切欠部、６…垂直仕切壁、７…差込プラグ、８…電源室、９…差込プラグ、１０…コンセント、１１…プログラムタイマ、１２…開口、１３…排水注ぎ口、１４…沈殿室、１５…挿通穴、１６…垂直仕切壁、１７…開口、１８…ポンプ室、１９…ポンプ、２０…開口、２１…水平仕切壁、２２…貯水室、２３…支持縁体、２４…載置台、２５，２５Ａ…フィルター材、２６…植木鉢、２７…植木、２８…バケツ、２９…水
【図１】
0003153611.tif 000003
【図２】
0003153611.tif 000004
【図３】
0003153611.tif 000005
【図４】
0003153611.tif 000006
【図５】
0003153611.tif 000007
【図６】
0003153611.tif 000008
【図７】
0003153611.tif 000009
【図８】
0003153611.tif 000010